(57)【要約】【課題】液晶パネルの外部またはバックライトユニットの外部のうち少なくとも１つの外部を囲む光学部材を用いて液晶パネルとバックライトユニットが一体化されたディスプレイ装置を提供する。【解決手段】液晶パネルと上記液晶パネルに光を提供する光源を含むバックライトユニット及び上記液晶パネルに結合される光学部材を含み、上記光学部材は、上記液晶パネルの外側方向に延長形成され、上記液晶パネルの外部と上記バックライトユニットの外部のうち少なくとも１つの外部を囲む。【選択図】図２
2014182369.tif 000002
【特許請求の範囲】
【請求項１】
液晶パネルと、
上記液晶パネルに光を提供する光源を含むバックライトユニットと、
上記液晶パネルに結合される光学部材と
を含み、
上記光学部材は、上記液晶パネルの外側方向に延長形成され、上記液晶パネルの外部と上記バックライトユニットの外部のうち少なくとも１つの外部を囲む
ことを特徴とするディスプレイ装置。
【請求項２】
上記光学部材は、上記液晶パネルの外部と上記バックライトユニットの外部のうち少なくとも１つの外部を囲むために曲げられることをガイドするベンディング部を含む
ことを特徴とする請求項１に記載のディスプレイ装置。
【請求項３】
上記光学部材は、上記液晶パネルの上部に結合され、上記光源と垂直な面と平行な面のうち少なくとも１つの面が上記液晶パネルの外側方向に延長形成されて上記液晶パネルの外部及び上記バックライトユニットの外部を囲む
ことを特徴とする請求項１に記載のディスプレイ装置。
【請求項４】
上記光学部材は、上記液晶パネルの下部に結合され、上記光源と垂直な面と平行な面のうち少なくとも１つの面が上記液晶パネルの外側方向に延長形成されて上記バックライトユニットの外部を囲む
ことを特徴とする請求項１に記載のディスプレイ装置。
【請求項５】
上記液晶パネルと対応する上記光学部材の中央領域には開口部が形成されている
ことを特徴とする請求項４に記載のディスプレイ装置。
【請求項６】
上記液晶パネルの外側方向に延長形成された上記光学部材に結合されて上記光の漏れを遮断する光漏れ防止部材をさらに含む
ことを特徴とする請求項３ないし５のいずれか１項に記載のディスプレイ装置。
【請求項７】
上記光漏れ防止部材は、上記光学部材の一面または他面のうち少なくとも１つの面に結合される
ことを特徴とする請求項６に記載のディスプレイ装置。
【請求項８】
上記光漏れ防止部材は、遮光テープ、光吸収部材、ブラックプリント部材またはブラック染料のうち少なくとも１つからなる
ことを特徴とする請求項６に記載のディスプレイ装置。
【請求項９】
上記液晶パネルの外側方向に延長形成された上記光学部材に結合されて上記光の漏れを遮断する光漏れ防止部材と、
上記液晶パネルの側面と上記光漏れ防止部材の側面に重なるように塗布されるシーリング部材と
をさらに含むことを特徴とする請求項４に記載のディスプレイ装置。
【請求項１０】
上記バックライトユニットは、
上記光源から発生する光を上記液晶パネル方向に提供する導光板と、
上記導光板から提供される上記光を拡散及び集光する複数の光学シートと、
内部に収納部が形成され、上記液晶パネルを支持する複数の支持部を含む収納部材と、
上記導光板と上記収納部材の間に位置し、上記導光板から漏れる光を上記液晶パネル方向に反射する反射シートと
を含むことを特徴とする請求項１に記載のディスプレイ装置。
【請求項１１】
上記バックライトユニットは、
上記光源から発生する光を上記液晶パネル方向に提供する導光板と、
上記導光板から提供される上記光を拡散及び集光する複数の光学シートと、
内部に上記光源が配置され、上記液晶パネルを支持する支持部を含む光源収容部材と、
内部に収納部が形成され、上記液晶パネルを支持する複数の支持部材を含む液晶パネル支持部と、
上記導光板から漏れる光を上記液晶パネル方向に反射する反射シートと
を含むことを特徴とする請求項１に記載のディスプレイ装置。
【請求項１２】
上記液晶パネル支持部材は、
上記光源収容部材の外周面を囲むように形成されて上記液晶パネルを支持する第１支持部材と、
上記導光板の反入光部と対向するように形成される第２支持部材と
を含み、
上記第２支持部材は、上記導光板と上記複数の光学シート及び上記反射シートが収納される複数の段差部を含む
ことを特徴とする請求項１１に記載のディスプレイ装置。
【発明の詳細な説明】
【技術分野】
【０００１】
本発明は、ディスプレイ装置に関するものである。
【背景技術】
【０００２】
一般的に、従来例による液晶表示装置は、液晶パネルと当該液晶パネルの下部に結合されるバックライトユニット及び上記液晶パネルの上部に結合されるトップケースで構成される。
【０００３】
より具体的に、図１は、従来例による液晶表示装置（特許文献１）の断面図を示したものであって、従来例によるバックライトユニット２０は、光源（図示せず）、導光板２１、複数の光学シート２２、カバーボトム２３、反射シート２４及びサポートメイン２５を含む。
【０００４】
導光板２１は、上記光源の光を液晶パネル１０方向に出射させるためのものである。
【０００５】
また、複数の光学シート２２は、導光板２１から出射される光を集光及び拡散させるためのものである。
【０００６】
そして、反射シート２４は、導光板２１から漏れた光を液晶パネル１０方向に反射させるためのものである。
【０００７】
そして、カバーボトム２３は、上記光源と、導光板２１と、複数の光学シート２２及び反射シート２４を内部に収容するためのものである。
【０００８】
また、サポートメイン２５は、カバーボトム２３の内側に結合され、液晶パネル１０を支持するためのものである。
【０００９】
そして、トップケース３０は、液晶パネル１０の上部の縁部及びカバーボトム２３の外周面と結合される。
【００１０】
これにより、従来例による液晶表示装置は、サポートメイン２５及びトップケース３０を含む構造によってベゼル（bezel）領域が増加する問題がある。
【００１１】
特に、トップケース３０のような構成要素によってディスプレイ装置の縁部領域であるベゼル（Bezel）の幅Ｗが増加するため、ナローベゼル（narrow bezel）を具現することに問題がある。
【００１２】
また、バックライトユニット２０の全体的な厚さが厚くなることによって液晶表示装置の軽量化及び薄型化に問題がある。
【先行技術文献】
【特許文献】
【００１３】
【特許文献１】韓国特許出願公開第２０１１−００２００５０号明細書
【発明の概要】
【発明が解決しようとする課題】
【００１４】
本願発明は、上記のような従来技術の問題を解決するために案出されたものであって、本願発明の目的は、液晶パネルの外部またはバックライトユニットの外部のうち少なくとも１つの外部を囲む光学部材を用いて液晶パネルとバックライトユニットが一体化されたディスプレイ装置を提供するものである。
【課題を解決するための手段】
【００１５】
本願発明によるディスプレイ装置は、液晶パネルと、当該液晶パネルに光を提供する光源を含むバックライトユニットと、上記液晶パネルに結合される光学部材とを含み、上記光学部材は、上記液晶パネルの外側方向に延長形成され、上記液晶パネルの外部と上記バックライトユニットの外部のうち少なくとも１つの外部を囲むことを特徴とする。
【発明の効果】
【００１６】
本願発明によって、ディスプレイ装置の厚さを最大限に減少させ、スリムなデザインに設計可能になると同時にゼロベゼル（zero bezel）も具現できる効果がある。
【００１７】
また、本願発明は、光学部材を用いて液晶パネルとバックライトユニットを一体化させることによって、上記ディスプレイ装置の軽量化を具現できる効果がある。
【００１８】
そして、本願発明は、光学部材を用いて上記液晶パネルと上記バックライトユニットを完璧に密着させることによって、ディスプレイ装置の薄型化及び結合力を向上させることができる効果がある。
【図面の簡単な説明】
【００１９】
【図１】従来例による液晶表示装置の断面図である。
【図２】本願発明によるディスプレイ装置の結合斜視図である。
【図３Ａ】本願発明によるディスプレイ装置の実施例に対するＩ−Ｉ’方向の断面図である。
【図３Ｂ】本願発明によるディスプレイ装置の実施例に対するＩ−Ｉ’方向の断面図である。
【図３Ｃ】本願発明によるディスプレイ装置の実施例に対するＩ−Ｉ’方向の断面図である。
【図４Ａ】本願発明のディスプレイ装置を構成する光学部材の斜視図である。
【図４Ｂ】本願発明のディスプレイ装置を構成する光学部材の斜視図である。
【図５Ａ】図４Ａに図示された光学部材を製造する製造方法に関する断面図である。
【図５Ｂ】図４Ａに図示された光学部材を製造する製造方法に関する断面図である。
【図５Ｃ】図４Ａに図示された光学部材を製造する製造方法に関する断面図である。
【図６】本願発明によるディスプレイ装置を構成するバックライトユニットに対するＩＩ−ＩＩ’方向の断面図である。
【図７】本願発明によるディスプレイ装置を構成するバックライトユニットの他の実施例に対するＩＩ−ＩＩ’方向の断面図である。
【図８Ａ】本願発明によるディスプレイ装置の他の実施例に対するＩ−Ｉ’方向の断面図である。
【図８Ｂ】本願発明によるディスプレイ装置の他の実施例に対するＩ−Ｉ’方向の断面図である。
【図９Ａ】本願発明によるディスプレイ装置の他の実施例に対するＩ−Ｉ’方向の断面図である。
【図９Ｂ】本願発明によるディスプレイ装置の他の実施例に対するＩ−Ｉ’方向の断面図である。
【発明を実施するための形態】
【００２０】
本発明の目的、特定の長所及び新規の特徴は、添付の図面と関連する以下の詳細な説明と好ましい実施例からより明白になる。本明細書における各図面の構成要素に参照番号を付加する際、同一の構成要素に限ってはたとえ異なる図面上に表示されてもできるだけ同一番号を有するようにしていることに留意すべきである。また、第１、第２２等の用語は多様な構成要素を説明する際用いられるが、上記構成要素は上記用語によって限定されるべきではない。上記用語は、１つの構成要素を他の構成要素から区別する目的のみで用いられる。また、本発明を説明する際、関連した公知技術に関する具体的な説明が本発明の要旨を不明瞭にする恐れがあると判断される場合には、その詳細な説明を省略する。
【００２１】
以下においては、添付した図面を参照して本発明の好ましい実施例を詳細に説明する。  
【００２２】
図２は、本願発明の実施例によるディスプレイ装置の結合斜視図であり、図３Ａ〜図３Ｃは、本願発明によるディスプレイ装置の実施例に対するＩ−Ｉ’方向の断面図である。
【００２３】
図示されたように、ディスプレイ装置は、液晶パネル１００と、液晶パネル１００に光を提供するための光源（図示せず）を含むバックライトユニット１１０ａ及び液晶パネル１００の外部とバックライトユニット１１０ａの外部のうち少なくとも１つの外部を囲む光学部材１２０を含む。
【００２４】
液晶パネル１００は，図３Ａ〜図３Ｃに図示されるように、アレイ基板１０１とカラー基板１０２及びアレイ基板１０１とカラー基板１０２間に配置される液晶層（図示せず）を含む。
【００２５】
そして、液晶パネル１００は、上記光源から提供される光が上記液晶層を通過することによって映像を出力するようになる。
【００２６】
また、上記光源は、ＬＥＤアレイと当該ＬＥＤアレイが実装される印刷回路基板で構成される。
【００２７】
そして、液晶パネル１００の一側面と他側面には偏光部１３０が結合される。
【００２８】
より具体的には、偏光部１３０は、第１偏光部材１３０ａと第２偏光部材１３０ｂを含む。
【００２９】
第１偏光部材１３０ａは、アレイ基板１０１の下部に結合され、第２偏光部材１３０ｂは、カラー基板１０２の上部に結合される。
【００３０】
より具体的には、第１偏光部材１３０ａは、バックライトユニット１１０ａを通過する光を偏光させて液晶パネル１００に入射させる。
【００３１】
また、外部の使用者が映像を視聴できるように、第２偏光部材１３０ｂは、液晶パネル１００を通過した光を偏光させる。
【００３２】
そして、液晶パネル１００の外部には外部の衝撃によるパネルの破損及び光の漏れを防止するためのサイドシーリング部（図示せず）が形成される。
【００３３】
また、上記光源が位置する方向には液晶パネル１００に上記外部電源とゲート及びデータ信号を供給するための信号供給部材１６０が連結される。
【００３４】
より具体的には、信号供給部材１６０は、軟性材質の回路基板と、一端が上記回路基板と連結され、他端が液晶パネル１００と連結されるＣＯＦ（chip on film）からなる。
【００３５】
そして、上記ＣＯＦは、高分子物質であるポリマイド（polymide）に銅箔を積んだ後、回路を形成して基板を構成するものであって、上記ＣＯＦには、上記液晶パネルの動作のためのソース（source）信号とゲート（gate）信号を生成する回路である駆動回路（Drive IC）をボンディングして実装することができる。
【００３６】
光学部材１２０は、上記ディスプレイ装置に結合される位置に応じて液晶パネル１００の外部とバックライトユニット１１０ａの外部のうち少なくとも１つの外部を囲むようになる。
【００３７】
即ち、図２に図示されるように、光学部材１２０は、液晶パネル１００の外側方向に延長形成されて上記ディスプレイ装置の外部を囲むようになる。
【００３８】
より具体的には、図２、図３Ａ及び図３Ｂに図示されるように、光学部材１２０は、液晶パネル１００の上部に結合されて液晶パネル１００の外部とバックライトユニット１１０ａの外部を囲むようになる。また、光学部材１２０と液晶パネル１００を結合するために光学用透明粘着層（Pressure sensitive adhesive layer：ＰＳＡ層）を用いることができる。
【００３９】
光学部材１２０は，光透過率に優れた透明な材質からなるＰＥＴ（Polyethylene Terephtalate）またはＴＡＣ（Triacetyl Cellulose）で形成される。そして、光学部材１２０の光透過率は９０％〜１００％の範囲内の光透過率を有することが好ましい。また、光学部材１２０のヘイズ（Haze）特性は０％〜８％の範囲内のヘイズ特性を有することが好ましい。
【００４０】
光学部材１２０は、液晶パネル１００の外部とバックライトユニット０１１０ａの外部のうち少なくとも１つの外部を囲むために曲げられることをガイドするベンディング部を含むことができる。即ち、後述する上記ベンディング部は、光学部材１２０が液晶パネル１００の外部またはバックライトユニット１１０ａの外部方向に曲げられることをガイドするためのものである。
【００４１】
図４Ａ及び図４Ｂは、本願発明のディスプレイ装置を構成する光学部材の斜視図である。図示されるように、光学部材１２０の一面（１２１a）にはベンディング部１２２ａ，１２２ｂが互いに一定間隔で離隔されて複数形成される。
【００４２】
より具体的には、ベンディング部１２２ａ，１２２ｂは、液晶パネル１００の外部及びバックライトユニット１１０ａの外部を囲むために延長形成された光学部材１２０の延長部ＥＡに形成される。即ち、ベンディング部１２２ａ，１２２ｂは、液晶パネル１００の外部及びバックライトユニット１１０ａの外部を囲むために光学部材１２０が容易に曲げられるようにガイドするためのものである。
【００４３】
図３Ａに図示されるように、光学部材１２０は、液晶パネル１００の上部に結合される。これにより、図４Ａに図示されるように、光学部材１２０は、ベンディング部１２２ａによって液晶パネル１００の上部終端で第１に曲げられる。
【００４４】
以後、光学部材１２０は、バックライトユニット１１０ａ外部、即ち、側面を囲んだ後、バックライトユニット１１０ａの背面を囲むために、ベンディング部１２２ｂによって第２に曲げられる。これにより、光学部材１２０は、液晶パネル１００とバックライトユニット１１０ａの外部を囲むようになる。
【００４５】
ただし、光学部材１２０の一面１２１ａに形成されるベンディング部１２２ａ，１２２ｂの数は本願発明において限定されない。
【００４６】
図４Ａにおいては、座標軸を基準にＹ方向に沿って光学部材１２０の一面１２０ａにベンディング部１２２ａ，１２２ｂが形成されているが、Ｘ方向にもベンディング部が共に形成されて光学部材１２０ａの一面１２１ａの全ての方向にベンディング部が形成されることができる。そして、図４Ａに図示されるように，ベンディング部１２２ａ，１２２ｂは，線形（linear）形状を有するように連続的に形成される。
【００４７】
また、図４Ｂに図示されるように、ベンディング部１２２ａ，１２２ｂは、不連続的な（discontinuous）形状を有するように形成される。
【００４８】
図５Ａ〜図５Ｃは、図４Ａに図示された光学部材を製造する製造方法に関する断面図である。図示されるように、記ベンディング部１２２ａ，１２２ｂは、多様な製造方法によって光学部材１２０に形成される。
【００４９】
一例として、ベンディング部１２２ａ，１２２ｂは、図５Ａに図示されるように、プレス製造方法によって光学部材１２０の一面１２１ａに形成される。
【００５０】
まず、ベンディング部を形成する光学部材１２０の一面１２１ａに後述する光漏れ防止部材１４０を結合する。以後、ベンディング部１２２ａ，１２２ｂと同一形状の溝パターンＳ１を含むステージＳ上部に光学部材１２０を載置させ、プレス装置Ｐを加圧する。これにより、ベンディング部１２２ａ，１２２ｂは，光学部材１２０の一面１２１ａ、より具体的には光漏れ防止部材１４０が結合された領域に溝パターンＳ１に対応する凸形状を有するように形成される。
【００５１】
他の例として、ベンディング部１２２ａ，１２２ｂは，図５Ｂに図示されるように，真空成形製造方法によって光学部材１２０の一面１２１ａに形成される。
【００５２】
まず、光学部材１２０を一定の温度状態で一定時間延伸させる。以後、ベンディング部を形成する光学部材１２０の一面１２１ａに後述する光漏れ防止部材１４０を結合する。その後、ベンディング部１２２ａ，１２２ｂと同一形状を有しながら多数のホールｈを有する複数の溝パターンＶ１が形成された真空吸着ステージＶ上部に光学部材１２０を載置させる。以後、ホールｈを通じて真空吸着ステージＶ方向に光学部材１２０を吸着させる。これにより、ベンディング部１２２ａ，１２２ｂが光学部材１２０の一面１２１ａ、より具体的には光漏れ防止部材１４０が結合された領域に溝パターンＶ１に対応する凸形状を有するように形成される。
【００５３】
他の例として、ベンディング部１２２ａ，１２２ｂは、図５Ｃに図示されるように、レーザ照射方法を用いて光学部材１２０の一面１２１ａに形成される。
【００５４】
上記レーザ照射方法によって形成されるベンディング部１２２ａ，１２２ｂは、上述したプレス製造方法と真空成形製造方法によって形成される凸形状のベンディング部と異なる溝形状に形成される。
【００５５】
まず、光学部材（１２０１）の上部に互いに一定間隔で離隔された複数のレーザ照射部Ｒを位置させる。以後、光学部材１２０の上面にレーザを照射するようになると、光学部材１２０の上面に溝形状のベンディング部１２２ａ，１２２ｂが形成される。そして、ベンディング部１２２ａ，１２２ｂが形成された光学部材１２０の上面と反対となる光学部材１２０の一面１２１ａに後述する光漏れ防止部材１４０を結合する。これにより、上述した図５Ａ〜図５Ｃに基づいて多様な実施例で説明されたベンディング部製造方法を用いて光学部材１２０が容易に曲げられるようにガイドするベンディング部１２２ａ，１２２ｂを光学部材１２０の一面に形成させることができる。
【００５６】
再度、図３Ａ〜図３Ｃを参照すると、光学部材１２０は、液晶パネル１００の上部に結合される。
【００５７】
図３Ａに図示されるように、光学部材１２０は、液晶パネル１００の外側方向に延長形成される。
【００５８】
より具体的には、図２に基づいて信号供給部材０１６０が連結された方向（Ｘ軸方向）に位置する上記光源と垂直な方向にある光学部材１２０の側面がＸ軸方向に延長形成される。即ち、図３Ｂ及び図３Ｃに図示されるように、光学部材１２０は、液晶パネル１００の外部及びバックライトユニット１１０ａの外部を全て囲むようになる。これにより、従来のディスプレイ装置を構成するトップケース及びガイドパネルのような構造物を削除し、光学部材１２０を用いて液晶パネル１００とバックライトユニット１１０ａを一体化させることによって、上記ディスプレイ装置の軽量化を具現できる効果がある。
【００５９】
そして、光学部材１２０を用いて液晶パネル１００とバックライトユニット１１０ａを完璧に密着させることによって、ディスプレイ装置の薄型化及び結合力を向上させることができる効果がある。
【００６０】
図３Ａ〜図３Ｃに図示された光学部材１２０は、上記光源と垂直な側面のみがＸ軸方向に延長形成されたが、上記光源と平行な方向にある光学部材１２０の側面もまたＹ軸方向に延長形成されることができる。
【００６１】
これにより、図２に図示されるように、信号供給部材１６０を除いた上記ディスプレイ装置の一部領域であるＣＡ領域及びこれと反対方向の領域（DA）を上記光学部材１２０が囲むことができる。即ち、上記光学部材１２０は上記光源と垂直な側面だけでなく平行な側面もまた延長形成されることによって図２に図示されるように上記ディスプレイ装置のＣＡ領域とその反対側領域ＤＡまで囲むようになるため、液晶パネル１００とバックライトユニット１１０ａの結合力が向上する効果がある。
【００６２】
図３Ｂ及び図３Ｃに図示されるように、光学部材１２０には上記光源の光の漏れを遮断する光漏れ防止部材１４０が結合される。
【００６３】
より具体的には、光漏れ防止部材１４０は、バックライトユニット１１０ａの外部を囲む光学部材１２０の一面または他面のうち少なくとも１つの面に結合されることができる。即ち、図３Ｂ及び図３Ｃに図示されるように、光漏れ防止部材１４０は、液晶パネル１００の外部及びバックライトユニット１１０ａの外部を囲む光学部材１２０の外側面に結合される。また、光漏れ防止部材１４０は、光学部材１２０の内側面に結合されることができる。これにより、上記光源の光が上記ディスプレイ装置の外部に漏れることを遮断する。
【００６４】
また、光漏れ防止部材１４０は、上記光源の光が上記ディスプレイ装置の外部に漏れることを遮断するために、遮光テープまたはプリント印刷方式を通じて形成されるブラックプリント部材または光吸収部材、またはインクジェット方式を通じて形成されるブラック染料のうち少なくとも１つの材質からなる。そして、光漏れ防止部材１４０が光学部材１２０の内側面に結合される場合、光学部材１２０の外側面には黒色ではなく他の色を有する部材が結合される。例えば、光学部材１２０の内側面に光漏れ防止部材１４０が結合される場合、光学部材１２０の外側面には蛍光色を有する部材が結合され、使用者に美麗なデザインを提供する効果がある。
【００６５】
図６は、本願発明によるディスプレイ装置を構成するバックライトユニットに対するＩＩ−ＩＩ’方向の断面図である。図示されるように、上記ディスプレイ装置を構成するバックライトユニット１１０ａは、導光板１１３ａ、複数の光学シート１１５ａ、収納部材１１７ａ及び反射シート１１９ａを含む。
【００６６】
導光板１１３ａは、光源１１１から入射される光を面光源状に変換して液晶パネル１００に提供するためのものである。
【００６７】
複数の光学シート１１５ａは、導光板１１３から出射された上記光を拡散及び集光するためのものである。
【００６８】
より具体的には、複数の光学シート１１５ａは、少なくとも１つの拡散シートと上記拡散シートの上部に配置される少なくとも１つの集光シートからなる。
【００６９】
上記拡散シートは、導光板１１３ａを通じて液晶パネル１００方向に入射された光を拡散させると同時に上記拡散された光が上記集光シート方向に進むように上記拡散された光の方向を調節することもできる。
【００７０】
また、上記集光シートは、上記拡散シートを通じて入射される光を液晶パネル１００に垂直な方向に集光させる。
【００７１】
収納部材１１７ａは、導光板１１３ａ及び複数の光学シート１１５ａを収容するために内部に収納部が形成される。また、収納部材１１７ａは、液晶パネル１００を支持するための複数の支持部１１８ａを含む。
【００７２】
そして、支持部１１８ａの上部には液晶パネル１００とバックライトユニット１１０を互いに固定結合するために，両面が接着材質からなり，弾性力を有するフォームパッド形状の結合部材１６ａが配置される。
【００７３】
また、収納部材１１７ａは、図３Ｃに図示されるように、液晶パネル１００方向に突出形成され、導光板１１３ａ、複数の光学シート１１５ａ及び反射シート１１９ａを外部の衝撃から保護するための側面補強部材Ｓをさらに含む。
【００７４】
そして、反射シート１１９ａは、導光板１１３ａと収納部材１１７ａの間に位置し、導光板１１３ａから漏れる光を液晶パネル１００方向に反射させるためのものである。
【００７５】
総合すると、図２、図３Ａ及び図４Ａに基づいて、上述したように、光源１１１と垂直な方向の光学部材１２０の側面が液晶パネル１００の外側方向に延長形成されて液晶パネル１００の外部とバックライトユニット１１０ａの外部を囲むようになる。
【００７６】
そして、光源１１１と平行な方向の光学部材１２０の側面もまた上記液晶パネル１００の外側方向に延長形成されることによって、図２及び図６に図示されるように、光学部材１２０が上記ディスプレイ装置のＣＡ領域とその反対側領域ＤＡまで囲むようになる。これにより、光学部材１２０は、上記ディスプレイ装置の外部を全て囲むようになる。
【００７７】
より具体的には、図６に図示されるように、光学部材１２０は、光源１１１が配置された方向（図２のＣＡ領域）の収納部材１１７ａの外部を囲むことができる。
【００７８】
また、光学部材１２０は、カメラのレンズ部を外部に露出させるための貫通孔Ｈが形成された方向（図２のＤＡ領域）の収納部材１１７ａの外部を囲むことができる。これにより、光学部材１２０がバックライトユニット１１０ａを構成する収納部材１１７ａの外部を共に囲むことができるため、液晶パネル１００とバックライトユニット１１０の結合力が向上する効果がある。
【００７９】
図７は、本願発明によるディスプレイ装置を構成するバックライトユニットの他の実施例に対するＩＩ−ＩＩ’方向の断面図である。図示されるように、上記ディスプレイ装置を構成するバックライトユニット１１０ｂは，導光板１１２ｂ、複数の光学シート１１３ｂ、光源収容部材１１４ｂ、反射シート１１６ｂ及び液晶パネル支持部１１７ｂを含む。
【００８０】
導光板１１２ｂは、光源１１１から入射される光を面光源形態に変換して液晶パネル１００に提供するためのものである。
【００８１】
複数の光学シート１１３ｂは、導光板１１２ｂから出射された上記光を拡散及び集光するためのものである。
【００８２】
より具体的には、複数の光学シート１１３ｂは、少なくとも１つの拡散シートと少なくとも１つの集光シートからなる。
【００８３】
上記拡散シートは、導光板１１２ｂを通じて液晶パネル１００方向に入射された光を分散させながら上記集光シート方向に光が進むように光の方向を調節する。
【００８４】
また、上記集光シートは、上記拡散シートを通じて入射される光を液晶パネル１００に垂直な方向に集光させる。
【００８５】
そして、図７に図示されるように、光源収容部材１１４ｂは、導光板１１３ａを収容するために内部に収納空間が形成され、光源収容部材１１４ｂの断面は、「コ」字状に形成される。
【００８６】
光源収容部材１１４ｂは、光源１１１と向かい合う導光板１１２ｂの入光部の一部分を覆うと同時に液晶パネル１００を支持するための支持部１１５ｂを含む。
【００８７】
反射シート１１６ｂは、導光板１１２ｂから漏れる光を液晶パネル１００方向に反射させるためのものである。
【００８８】
液晶パネル支持部１１７ｂは、導光板１１２ｂ、複数の光学シート１１３ｂ、光源１１１が内部に結合された光源収容部材１１４ｂ及び反射シート１１６ｂを収容するために内部に収納空間が形成される。
【００８９】
そして、液晶パネル支持部１１７ｂは、液晶パネル１００を支持するための複数の支持部材１１８ｂを含む。
【００９０】
より具体的には、液晶パネル支持部１１７ｂは、第１支持部材１１８ｂ１及び第２支持部材１１８ｂ２を含む。
【００９１】
第１支持部材１１８ｂ１は、断面が「コ」字状である光源収容部材１１４ｂの外周面を囲むように液晶パネル支持部１１７ｂから液晶パネル１００方向に突出形成される。
【００９２】
また、第２支持部材１１８ｂ２は、導光板１１２ｂの反入光部と対向するように液晶パネル支持部１１７ｂから液晶パネル１００方向に突出形成される。そして、第２支持部材１１８ｂ２は、反射シート１１６ｂ、導光板１１２ｂ及び複数の光学シート１１３ｂが液晶パネル支持部１１７ｂの内部に順次積層されるように複数の段差部を具備する。
【００９３】
これにより、図７に図示されるように、記第１支持部材１１８ｂ１及び第２支持部材１１８ｂ２と光源収容部材１１４ｂは、同時に液晶パネル１００を支持することができる。
【００９４】
また、液晶パネル１００と向かい合う第１支持部材１１８ｂ１及び第２支持部材１１８ｂ２と支持部１１５ｂの上部には両面が接着材質からなり、弾性力を有するフォームパッド形状の結合部材１１９ｂが配置され、液晶パネル１００とバックライトユニット１１０ｂを固定結合させることができる。
【００９５】
そして、図３Ｃに図示された収納部材１１７ａと同じく液晶パネル支持部１１７ｂは、液晶パネル１００方向に突出形成されて、導光板１１２ｂ、複数の光学シート１１３ｂ、光源収容部材１１４ｂ及び反射シート１１６ｂを外部の衝撃から保護するための側面補強部材（図示せず）をさらに含む。
【００９６】
図２、図３Ａ及び図４Ａに基づいて、上述したように、光源１１１と垂直な光学部材１２０の側面だけでなく光源１１１と平行な光学部材１２０の側面が液晶パネル１００の外側方向に延長形成される。
【００９７】
これにより、図２及び図７に図示されるように、光学部材１２０は、上記ディスプレイ装置のＣＡ領域とその反対側領域ＤＡまで囲むようになり、上記ディスプレイ装置の全ての面を囲むことができる。
【００９８】
即ち、図７に図示されるように，光学部材１２０は、光源１１１が配置された方向（図２のＣＡ領域）の液晶パネル支持部１１７ｂを構成する第１支持部材１１８ｂ１の外部を囲むことができる。
【００９９】
また、光学部材１２０は、カメラのレンズ部を外部に露出させるための貫通孔Ｈが形成された方向（図２のＤＡ領域）の液晶パネル支持部１１７ｂを構成する第２支持部材１１８ｂ２の外部を囲むことができる。
【０１００】
これにより、光学部材１２０がバックライトユニット１１０ｂを構成する液晶パネル支持部１１７ｂの外部を共に囲むことができるため、液晶パネル１００とバックライトユニット１１０ｂの結合力が向上する効果がある。
【０１０１】
図８Ａ〜図８Ｂは、本願発明によるディスプレイ装置の他の実施例に対するＩ−Ｉ’方向の断面図である。本実施例を説明する際、先に述べた実施例と同一または対応する構成要素に関する説明は省略することにする。以下では、これを参照して本実施例によるディスプレイ装置について説明する。
【０１０２】
上記ディスプレイ装置は、液晶パネル１００と液晶パネル１００に光を提供するための光源（図示せず）を含むバックライトユニット１１０ａ及び光学部材２２０を含む。
【０１０３】
光学部材２２０は、液晶パネル１００の下部に結合され、液晶パネル１００の外側方向に延長形成される。
【０１０４】
また、光学部材２２０と液晶パネル１００を結合するために光学用透明粘着層（Pressure sensitive adhesive layｙer：ＰＳＡ層）を用いることができる。
【０１０５】
即ち、図２及び図８Ａに基づいて、信号供給部材１６０が連結された方向（Ｘ軸方向）に位置する上記光源と垂直な方向にある光学部材２２０の側面がＸ軸方向に延長形成される。
【０１０６】
そして、図４Ａ及び図４Ｂに基づいて上述した光学部材１２０と同じく、光学部材２２０の一面には、バックライトユニット１１０ａの外部を囲むために曲げられることをガイドするためのベンディング部が形成される。
【０１０７】
これにより、図８Ｂに図示されるように、光学部材２２０は、バックライトユニット１１０ａの外部を囲むようになる。
【０１０８】
これにより、従来のディスプレイ装置を構成するトップケース及びガイドパネルのような構造物を削除し、光学部材２２０を用いて液晶パネル１００とバックライトユニット１１０ａを一体化させることによって、上記ディスプレイ装置の軽量化を具現できる効果がある。
【０１０９】
そして、図８Ａ及び図８Ｂに図示された光学部材２２０は、上記光源と垂直な側面がＸ軸方向に延長形成されたが、上記光源と平行な側面もまたＹ軸方向に延長形成することができる。
【０１１０】
これにより、図２を参考にして、記信号供給部材１６０を除いた上記ディスプレイ装置の外部一部領域であるＣＡ領域及びこれと反対方向の外部領域ＤＡを光学部材２２０が囲むことができる。
【０１１１】
即ち、光学部材２２０は、上記光源と平行な面がさらに延長形成されることによって、図２に図示されるように、上記ディスプレイ装置のＣＡ領域とその反対側領域ＤＡまで囲むようになり、液晶パネル１００とバックライトユニット１１０ａの結合力を向上できる効果がある。
【０１１２】
図８Ｂに図示されるように、光学部材２２０には、上記光源の光の漏れを遮断する光漏れ防止部材１４０が結合される。
【０１１３】
より具体的には、光漏れ防止部材１４０は、バックライトユニット１１０ａの外部を囲む光学部材２２０の一面または他面のうち少なくとも１つの面に結合されることができる。
【０１１４】
即ち、図８Ｂに図示されるように、光漏れ防止部材１４０は、バックライトユニット１１０ａの外部を囲む光学部材２２０の外側面に結合される。
【０１１５】
また、光漏れ防止部材１４０は、光学部材２２０の内側面に結合される。これにより、上記光源の光が上記ディスプレイ装置の外部に漏れることを遮断する。
【０１１６】
また、光漏れ防止部材１４０は、上記光源の光が上記ディスプレイ装置の外部に漏れることを遮断するために、遮光テープまたはプリント印刷方式を通じて形成されることができるブラックプリント部材または光吸収部材またはインクジェット方式を通じて形成することができるブラック染料のうち少なくとも１つの材質からなる。
【０１１７】
そして、光漏れ防止部材１４０が光学部材２２０の内側面に結合される場合、光学部材２２０の外側面には黒色ではなく他の色を有する部材が結合される。例えば、光学部材２２０の内側面に光漏れ防止部材１４０が結合される場合、光学部材２２０の外側面には蛍光色を有する部材が結合され、使用者に美麗なデザインを提供する効果がある。
【０１１８】
さらに、図８Ａ及び図８Ｂに図示されるように、液晶パネル１００の側面には、外部の衝撃によるパネルの破損及び光の漏れを防止するためのサイドシーリング部が形成される。
【０１１９】
また、バックライトユニット１１０ａの外部を囲む光漏れ防止部材１４０の外側面と液晶パネル１００の外部には、シーリング部材１５０が塗布される。
【０１２０】
これにより、液晶パネル１００とバックライトユニット１１０ａの結合力が向上する効果がある。
【０１２１】
図９Ａ及び図９Ｂは、本願発明によるディスプレイ装置の他の実施例に対するＩ−Ｉ’方向の断面図である。本実施例を説明する際、先に述べた実施例と同一または対応する構成要素に関する説明は省略することにする。以下では、これを参照して本実施例によるディスプレイ装置について説明する。
【０１２２】
上記ディスプレイ装置は、液晶パネル１００と液晶パネル１００に光を提供するための光源（図示せず）を含むバックライトユニット１１０ａ及び光学部材３２０を含む。
【０１２３】
光学部材３２０は、液晶パネル１００の下部に結合され、液晶パネル１００の外側方向に延長形成される。
【０１２４】
そして、光学部材３２０と液晶パネル１００を結合するために光学用透明粘着層（Pressure sensitive adhesive layｙer：ＰＳＡ層）を用いることができる。
【０１２５】
また、光学部材３２０には、液晶パネル１００と対応する中央領域に開口部３２３が形成される。
【０１２６】
より具体的には、開口部３２３の大きさは、図９Ａ及び図９Ｂに図示されたアクティブ領域Ａ／Ａと重畳されながら同一の面積もしくはより大きい面積を有するように形成されることが好ましい。即ち、光学部材３２０の中央領域に開口部３２３が形成されることによって、光源１１１から提供される光を液晶パネル１００のアクティブ領域Ａ／Ａに光損失なしに全て提供できる効果がある。
【０１２７】
図２及び図９Ａに基づいて、記信号供給部材１６０が連結された方向（Ｘ軸方向）に位置する上記光源と垂直な方向にある光学部材３２０の側面がＸ軸方向に延長形成される。
【０１２８】
そして、図４Ａ及び図４Ｂに基づいて、上述した光学部材１２０と同じく、光学部材３２０の一面にはバックライトユニット１１０ａの外部を囲むために曲げられることをガイドするためのベンディング部が形成される。
【０１２９】
これにより、図９Ｂに図示されるように、光学部材３２０は、バックライトユニット１１０ａの外部を囲むようになる。
【０１３０】
また、従来のディスプレイ装置を構成するトップケース及びガイドパネルのような構造物を削除し、光学部材３２０を用いて液晶パネル１００とバックライトユニット１１０ａを一体化させることによって、上記ディスプレイ装置の軽量化を具現できる効果がある。
【０１３１】
そして、図９Ａ及び図９Ｂに図示された光学部材３２０は、上記光源と垂直な側面がＸ軸方向に延長形成されたが、上記光源と平行な側面もまたＹ軸方向に延長形成することができる。
【０１３２】
これにより、図２に図示されるように、信号供給部材１６０を除いた上記ディスプレイ装置の外部一部領域であるＣＡ領域及びこれと反対方向の外部領域ＤＡを光学部材２２０が囲むことができる。
【０１３３】
即ち、光学部材２２０は、上記光源と平行な面がさらに延長形成されることによって、図２に図示されるように上記ディスプレイ装置のＣＡ領域とその反対側領域ＤＡまで囲むようになり、液晶パネル１００とバックライトユニット１１０ａの結合力を向上できる効果がある。
【０１３４】
図９Ｂに図示されるように、光学部材３２０には、上記光源の光の漏れを遮断する光漏れ防止部材１４０が結合される。
【０１３５】
より具体的には、光漏れ防止部材１４０は、バックライトユニット１１０ａの外部を囲む光学部材３２０の一面または他面のうち少なくとも１つの面に結合される。即ち、図９Ｂに図示されるように、光漏れ防止部材１４０は、バックライトユニット１１０ａの外部を囲む光学部材３２０の外側面に結合される。
【０１３６】
また、光漏れ防止部材１４０は、光学部材３２０の内側面に結合される。これにより、上記光源の光が上記ディスプレイ装置の外部に漏れることを遮断する。
【０１３７】
光漏れ防止部材１４０は、上記光源の光が上記ディスプレイ装置の外部に漏れることを遮断するために、遮光テープまたはプリント印刷方式を通じて形成されることができるブラックプリント部材または光吸収部材またはインクジェット方式を通じて形成されることができるブラック染料のうち少なくとも１つの材質からなる。
【０１３８】
光漏れ防止部材１４０が光学部材３２０の内側面に結合される場合、光学部材３２０の外側面には黒色ではなく他の色を有する部材が結合される。例えば、光学部材３２０の内側面に光漏れ防止部材１４０が結合される場合、光学部材３２０の外側面には蛍光色を有する部材が結合され、使用者に美麗なデザインを提供する効果がある。
【０１３９】
さらに、図９Ａ及び図９Ｂに図示されるように、液晶パネル１００の側面には外部の衝撃によるパネルの破損及び光の漏れを防止するためのサイドシーリング部が形成される。
【０１４０】
また、バックライトユニット１１０ａの外部を囲む光漏れ防止部材１４０の外側面と液晶パネル１００の外部にはシーリング部材１５０が塗布される。
【０１４１】
これにより、液晶パネル１００とバックライトユニット１１０ａの結合力が向上する効果がある。
【０１４２】
本発明の属する技術分野の当業者は上述した本発明がその技術的思想や必須的特徴を変更せず、他の具体的な形態で実施できるということを理解することができる。したがって、以上で記述した実施形態は全ての面で例示されたものであり、限定的でないものと理解すべきである。本発明の範囲は、上記の詳細な説明よりは後述する特許請求の範囲により表れるものであり、特許請求の範囲の意味及び範囲、そしてその等価概念から導き出される全ての変更または変形された形態が本発明の範囲に含まれるものと解釈されなければならない。
【符号の説明】
【０１４３】
１００: 液晶パネル
１１０ａ: バックライトユニット
１２０: 光学部材
１４０: 光漏れ防止部材
１５０: シーリング部材
【図１】
2014182369.tif 000003
【図２】
2014182369.tif 000004
【図３Ａ】
2014182369.tif 000005
【図３Ｂ】
2014182369.tif 000006
【図３Ｃ】
2014182369.tif 000007
【図４Ａ】
2014182369.tif 000008
【図４Ｂ】
2014182369.tif 000009
【図５Ａ】
2014182369.tif 000010
【図５Ｂ】
2014182369.tif 000011
【図５Ｃ】
2014182369.tif 000012
【図６】
2014182369.tif 000013
【図７】
2014182369.tif 000014
【図８Ａ】
2014182369.tif 000015
【図８Ｂ】
2014182369.tif 000016
【図９Ａ】
2014182369.tif 000017
【図９Ｂ】
2014182369.tif 000018